(57)【特許請求の範囲】
【請求項１】
少なくとも表示装置，キーボード入力装置，音声出力装置および音声入力装置を備えるパーソナルコンピュータにおいて、前記キーボード入力装置から入力された利用者名およびパスワードを登録するパスワード登録手段と、前記音声入力装置から入力された利用者の音声を音声認識して声紋を登録する声紋登録手段と、システム生成時にパスワードのキーボード入力を要求し、入力されたパスワードを前記パスワード登録手段で登録されたパスワードと比較して、一致するパスワードがあれば個人認証されたものとしてシステム生成を続行するパスワード認証手段と、前記パスワードのキーボード入力要求から所定時間の間にパスワードのキーボード入力がなかった場合に利用者に対して発声を要求し、この発声を音声認識した声紋を前記声紋登録手段で登録された声紋と比較して、一致する声紋があれば個人認証されたものとしてシステム生成を続行する声紋認証手段とを含むことを特徴とする個人認証方式。
【請求項２】
少なくとも表示装置，キーボード入力装置，音声出力装置および音声入力装置を備えるパーソナルコンピュータにおいて、利用者別に利用者名，パスワード，声紋およびシステム生成情報を登録する利用者プロファイルと、前記キーボード入力装置から入力された利用者名およびパスワードを前記利用者プロファイルに登録するパスワード登録手段と、前記音声入力装置から入力された利用者の音声を音声認識して声紋を前記利用者プロファイルに登録する声紋登録手段と、システム生成時にパスワードのキーボード入力を要求し、入力されたパスワードを前記利用者プロファイルに登録されたパスワードと比較して、一致するパスワードがあれば個人認証されたものとして該パスワードに対応するシステム生成情報に基づいてシステム生成を続行するパスワード認証手段と、前記パスワードのキーボード入力要求から所定時間の間にパスワードのキーボード入力がなかった場合に利用者に対して音声にて発声を要求し、この発声を音声認識した声紋を前記利用者プロファイルに登録された声紋と比較して、一致する声紋があれば個人認証されたものとして該声紋に対応するシステム生成情報に基づいてシステム生成を続行する声紋認証手段とを含むことを特徴とする個人認証方式。
【請求項３】
少なくとも表示装置，キーボード入力装置，音声出力装置および音声入力装置を備えるパーソナルコンピュータにおいて、利用者別に利用者名，パスワード，声紋およびシステム生成情報を登録する利用者プロファイルと、前記キーボード入力装置から入力された利用者名およびパスワードを前記利用者プロファイルに登録するパスワード登録手段と、前記音声入力装置から入力された利用者の音声を音声認識して声紋を前記利用者プロファイルに登録する声紋登録手段と、システム生成時にパスワードのキーボード入力を要求し、入力されたパスワードを前記利用者プロファイルに登録されたパスワードと比較して、一致するパスワードがあれば個人認証されたものとして該パスワードに対応するシステム生成情報に基づいてシステム生成を続行するパスワード認証手段と、前記パスワードのキーボード入力要求から所定時間の間にパスワードのキーボード入力がなかった場合に利用者に対して音声にて発声を要求し、この発声を音声認識した声紋を前記利用者プロファイルに登録された声紋と比較して、一致する声紋があれば個人認証されたものとして固定プロファイルとして指定された利用者プロファイルのシステム生成情報に基づいてシステム生成を続行する声紋認証手段とを含むことを特徴とする個人認証方式。
【請求項４】
前記声紋登録手段が利用者名の発声を音声認識して声紋を登録し、前記声紋認証手段が利用者名の発声を音声認識した声紋と前記声紋登録手段で登録された声紋とを比較する請求項１，請求項２または請求項３記載の個人認証方式。
【請求項５】
前記声紋登録手段がパスワードの発声を音声認識して声紋を登録し、前記声紋認証手段がパスワードの発声を音声認識した声紋と前記声紋登録手段で登録された声紋とを比較する請求項１，請求項２または請求項３記載の個人認証方式。
【請求項６】
コンピュータを、キーボード入力装置から入力された利用者名およびパスワードを登録するパスワード登録手段，音声入力装置から入力された利用者の音声を音声認識して声紋を登録する声紋登録手段，システム生成時にパスワードのキーボード入力を要求し、入力されたパスワードを前記パスワード登録手段で登録されたパスワードと比較して、一致するパスワードがあれば個人認証されたものとしてシステム生成を続行するパスワード認証手段，ならびに前記パスワードのキーボード入力要求から所定時間の間にパスワードのキーボード入力がなかった場合に利用者に対して発声を要求し、この発声を音声認識した声紋を前記声紋登録手段で登録された声紋と比較して、一致する声紋があれば個人認証されたものとしてシステム生成を続行する声紋認証手段として機能させるためのプログラム。
【請求項７】
コンピュータを、利用者別に利用者名，パスワード，声紋およびシステム生成情報を登録する利用者プロファイル，キーボード入力装置から入力された利用者名およびパスワードを前記利用者プロファイルに登録するパスワード登録手段，音声入力装置から入力された利用者の音声を音声認識して声紋を前記利用者プロファイルに登録する声紋登録手段，システム生成時にパスワードのキーボード入力を要求し、入力されたパスワードを前記利用者プロファイルに登録されたパスワードと比較して、一致するパスワードがあれば個人認証されたものとして該パスワードに対応するシステム生成情報に基づいてシステム生成を続行するパスワード認証手段，ならびに前記パスワードのキーボード入力要求から所定時間の間にパスワードのキーボード入力がなかった場合に利用者に対して音声にて発声を要求し、この発声を音声認識した声紋を前記利用者プロファイルに登録された声紋と比較して、一致する声紋があれば個人認証されたものとして該声紋に対応するシステム生成情報に基づいてシステム生成を続行する声紋認証手段として機能されるためのプログラム。
【請求項８】
コンピュータを、利用者別に利用者名，パスワード，声紋およびシステム生成情報を登録する利用者プロファイル，キーボード入力装置から入力された利用者名およびパスワードを前記利用者プロファイルに登録するパスワード登録手段，音声入力装置から入力された利用者の音声を音声認識して声紋を前記利用者プロファイルに登録する声紋登録手段，システム生成時にパスワードのキーボード入力を要求し、入力されたパスワードを前記利用者プロファイルに登録されたパスワードと比較して、一致するパスワードがあれば個人認証されたものとして該パスワードに対応するシステム生成情報に基づいてシステム生成を続行するパスワード認証手段，ならびに前記パスワードのキーボード入力要求から所定時間の間にパスワードのキーボード入力がなかった場合に利用者に対して音声にて発声を要求し、この発声を音声認識した声紋を前記利用者プロファイルに登録された声紋と比較して、一致する声紋があれば個人認証されたものとして固定プロファイルとして指定された利用者プロファイルのシステム生成情報に基づいてシステム生成を続行する声紋認証手段として機能させるためのプログラム。
【発明の詳細な説明】
【０００１】
【発明の属する技術分野】
本発明は個人認証方式に関し、特にパーソナルコンピュータ（以下、パソコンと略記する）における個人認証方式に関する。
【０００２】
【従来の技術】
家庭内に１台のパソコンを設置し、これを家族全員で使用する環境を考えた場合、パソコンの使用に際しては、プライバシー保護のため、利用者各自の個人認証は必須である。
【０００３】
従来、パソコンにおける個人認証方法は、パスワード入力によるものが一般的である。この方法は、画面よりパスワードをキーボード入力し、予めオペレーティングシステム内に記録されている本人照合用パスワードと一致するか否かを判別することにより、本人確認を行うものである。
【０００４】
【発明が解決しようとする課題】
しかし、上述した従来の技術では、パスワードをキーボード入力装置から手入力する必要があるため、幼児や高齢者等のパソコンをあまり使い慣れていない、または操作が不自由な利用者はパスワード入力に大きな抵抗感を持つので、幼児や高齢者等の利用者がパスワード入力に抵抗感を持った場合、それが原因でパソコンが家庭内で広く使用されなくなってしまうという問題点があった。
【０００５】
本発明の目的は、幼児や高齢者等のパソコンを使い慣れていない、または操作が不自由な利用者に対して、複雑なパスワードを意識させることなく、パソコンを使用可能とする個人認証方式を提供することにある。
【０００６】
また、本発明の他の目的は、幼児や高齢者等のパソコンを使い慣れていない、または操作が不自由な利用者に対して、複雑なパスワードを意識させることなく、パソコンを使用可能とする個人認証方法を提供することにある。
【０００７】
なお、先行技術として、特開平７−６４９１１号公報に開示された「個人認証システム」がある。このシステムは、パスワード，筆跡，指紋等の個人認証データの中から任意項目数の個人認証データを登録し、照合時に、任意数の入力装置を選択的に接続し、入力装置から入力された個人認証データと登録された個人認証データとを照合するようにしたものである。しかし、このシステムは、本発明のようにパソコンに係る個人認証システムではなく、また個人認証データとして声紋を利用していない。さらに、一定の条件下で他の個人認証データで認証するようにしたものでもなく、本願発明とはその目的，構成および効果を異にするものである。
【０００８】
また、先行技術として、特開平１１−２２４２３６号公報に開示された「遠隔認証システム」がある。このシステムは、ユーザ端末には複数種類のバイオメトリクス取得装置が接続され、認証サーバにはユーザ端末またはユーザに応じた複数の認証情報取得ソフトウェアが格納され、認証に際して認証サーバからダウンロードされるユーザ端末またはユーザに応じた所定の認証情報取得ソフトウェアの動作に応じて、複数種類のバイオメトリクス取得装置で取得されたバイオメトリクス情報またはキー入力されたユーザ識別情報を用いるようにしたものである。しかし、このシステムは、本発明のようにパソコンに係る個人認証システムではなく、また個人認証データとして声紋を利用していない。また、アクセス対象の機密レベルに応じて認証手段を選択するようにしているが、一定の条件下で他の個人認証手段を選択するようにしたものでもなく、本願発明とはその目的，構成および効果を異にするものである。
【０００９】
【課題を解決するための手段】
本発明の個人認証方式は、少なくとも表示装置，キーボード入力装置，音声出力装置および音声入力装置を備えるパーソナルコンピュータにおいて、前記キーボード入力装置から入力された利用者名およびパスワードを登録するパスワード登録手段と、前記音声入力装置から入力された利用者の音声を音声認識して声紋を登録する声紋登録手段と、システム生成時にパスワードのキーボード入力を要求し、入力されたパスワードを前記パスワード登録手段で登録されたパスワードと比較して、一致するパスワードがあれば個人認証されたものとしてシステム生成を続行するパスワード認証手段と、前記パスワードのキーボード入力要求から所定時間の間にパスワードのキーボード入力がなかった場合に利用者に対して発声を要求し、この発声を音声認識した声紋を前記声紋登録手段で登録された声紋と比較して、一致する声紋があれば個人認証されたものとしてシステム生成を続行する声紋認証手段とを含むことを特徴とする。
【００１０】
また、本発明の個人認証方式は、少なくとも表示装置，キーボード入力装置，音声出力装置および音声入力装置を備えるパーソナルコンピュータにおいて、利用者別に利用者名，パスワード，声紋およびシステム生成情報を登録する利用者プロファイルと、前記キーボード入力装置から入力された利用者名およびパスワードを前記利用者プロファイルに登録するパスワード登録手段と、前記音声入力装置から入力された利用者の音声を音声認識して声紋を前記利用者プロファイルに登録する声紋登録手段と、システム生成時にパスワードのキーボード入力を要求し、入力されたパスワードを前記利用者プロファイルに登録されたパスワードと比較して、一致するパスワードがあれば個人認証されたものとして該パスワードに対応するシステム生成情報に基づいてシステム生成を続行するパスワード認証手段と、前記パスワードのキーボード入力要求から所定時間の間にパスワードのキーボード入力がなかった場合に利用者に対して音声にて発声を要求し、この発声を音声認識した声紋を前記利用者プロファイルに登録された声紋と比較して、一致する声紋があれば個人認証されたものとして該声紋に対応するシステム生成情報に基づいてシステム生成を続行する声紋認証手段とを含むことを特徴とする。
【００１１】
さらに、本発明の個人認証方式は、少なくとも表示装置，キーボード入力装置，音声出力装置および音声入力装置を備えるパーソナルコンピュータにおいて、利用者別に利用者名，パスワード，声紋およびシステム生成情報を登録する利用者プロファイルと、前記キーボード入力装置から入力された利用者名およびパスワードを前記利用者プロファイルに登録するパスワード登録手段と、前記音声入力装置から入力された利用者の音声を音声認識して声紋を前記利用者プロファイルに登録する声紋登録手段と、システム生成時にパスワードのキーボード入力を要求し、入力されたパスワードを前記利用者プロファイルに登録されたパスワードと比較して、一致するパスワードがあれば個人認証されたものとして該パスワードに対応するシステム生成情報に基づいてシステム生成を続行するパスワード認証手段と、前記パスワードのキーボード入力要求から所定時間の間にパスワードのキーボード入力がなかった場合に利用者に対して音声にて発声を要求し、この発声を音声認識した声紋を前記利用者プロファイルに登録された声紋と比較して、一致する声紋があれば個人認証されたものとして固定プロファイルとして指定された利用者プロファイルのシステム生成情報に基づいてシステム生成を続行する声紋認証手段とを含むことを特徴とする。
【００１２】
さらにまた、本発明の個人認証方式は、前記声紋登録手段が利用者名の発声を音声認識して声紋を登録し、前記声紋認証手段が利用者名の発声を音声認識した声紋と前記声紋登録手段で登録された声紋とを比較することを特徴とする。
【００１３】
また、本発明の個人認証方式は、前記声紋登録手段がパスワードの発声を音声認識して声紋を登録し、前記声紋認証手段がパスワードの発声を音声認識した声紋と前記声紋登録手段で登録された声紋とを比較することを特徴とする。
【００１９】
他方、本発明のプログラムは、コンピュータを、キーボード入力装置から入力された利用者名およびパスワードを登録するパスワード登録手段，音声入力装置から入力された利用者の音声を音声認識して声紋を登録する声紋登録手段，システム生成時にパスワードのキーボード入力を要求し、入力されたパスワードを前記パスワード登録手段で登録されたパスワードと比較して、一致するパスワードがあれば個人認証されたものとしてシステム生成を続行するパスワード認証手段，ならびに前記パスワードのキーボード入力要求から所定時間の間にパスワードのキーボード入力がなかった場合に利用者に対して発声を要求し、この発声を音声認識した声紋を前記声紋登録手段で登録された声紋と比較して、一致する声紋があれば個人認証されたものとしてシステム生成を続行する声紋認証手段として機能させる。
【００２０】
また、本発明のプログラムは、コンピュータを、利用者別に利用者名，パスワード，声紋およびシステム生成情報を登録する利用者プロファイル，キーボード入力装置から入力された利用者名およびパスワードを前記利用者プロファイルに登録するパスワード登録手段，音声入力装置から入力された利用者の音声を音声認識して声紋を前記利用者プロファイルに登録する声紋登録手段，システム生成時にパスワードのキーボード入力を要求し、入力されたパスワードを前記利用者プロファイルに登録されたパスワードと比較して、一致するパスワードがあれば個人認証されたものとして該パスワードに対応するシステム生成情報に基づいてシステム生成を続行するパスワード認証手段，ならびに前記パスワードのキーボード入力要求から所定時間の間にパスワードのキーボード入力がなかった場合に利用者に対して音声にて発声を要求し、この発声を音声認識した声紋を前記利用者プロファイルに登録された声紋と比較して、一致する声紋があれば個人認証されたものとして該声紋に対応するシステム生成情報に基づいてシステム生成を続行する声紋認証手段として機能される。
【００２１】
さらに、本発明のプログラムは、コンピュータを、利用者別に利用者名，パスワード，声紋およびシステム生成情報を登録する利用者プロファイル，キーボード入力装置から入力された利用者名およびパスワードを前記利用者プロファイルに登録するパスワード登録手段，音声入力装置から入力された利用者の音声を音声認識して声紋を前記利用者プロファイルに登録する声紋登録手段，システム生成時にパスワードのキーボード入力を要求し、入力されたパスワードを前記利用者プロファイルに登録されたパスワードと比較して、一致するパスワードがあれば個人認証されたものとして該パスワードに対応するシステム生成情報に基づいてシステム生成を続行するパスワード認証手段，ならびに前記パスワードのキーボード入力要求から所定時間の間にパスワードのキーボード入力がなかった場合に利用者に対して音声にて発声を要求し、この発声を音声認識した声紋を前記利用者プロファイルに登録された声紋と比較して、一致する声紋があれば個人認証されたものとして固定プロファイルとして指定された利用者プロファイルのシステム生成情報に基づいてシステム生成を続行する声紋認証手段として機能させる。
【００２２】
本発明は、個人認証に使用する手段を利用者が選択できることを最大の特徴とする。個人認証にあたって、パスワードを用いるパスワード認証手段と、利用者の声を使用する声紋認証手段との２種類を用意し、利用者のパソコンに対する習熟度によって使い分けるものとする。つまり、パソコンを使い慣れている利用者は、よりセキュリティ機能の高く、操作性もよいパスワードによるパスワード認証手段を選択し、パソコンの操作に慣れていない、または操作が不自由な利用者は、より入力の負担の少ない声による声紋認証手段を選択することにより、従来通りのセキュリティ機能や操作性を損なわずに、パソコンの操作に慣れていない、または操作が不自由な利用者に対して、入力を意識させることなく個人認証を行うことを可能とする。
【００２３】
【発明の実施の形態】
以下、本発明の実施の形態について図面を参照して詳細に説明する。
【００２４】
（１）第１の実施の形態
図２は、本発明の第１の実施の形態に係る個人認証方式が適用されるパソコンのシステム構成の一例を示す図である。このパソコンは、ＭＰＵ（Ｍｉｃｒｏ  Ｐｒｏｃｅｓｓｏｒ  Ｕｎｉｔ）１と、主記憶２と、外部記憶装置３と、表示装置４と、キーボード入力装置５と、音声出力装置６と、音声入力装置７とを含んで構成されている。
【００２５】
図１は、パソコンに搭載されているオペレーティングシステム（ＯＳ）１０の構成を示すブロック図である。このオペレーティングシステム１０は、システム管理ツール２１およびシステム生成プログラム２２を含む処理プログラム２０と、ジョブ管理機能３１，タスク管理機能３２およびデータ管理機能３３を含む制御プログラム３０と、１つ以上の利用者プロファイル４０とを備えて構成されている。なお、符号５０は、システム生成のための各種モジュールを含む汎用ＯＳライブラリを示す。
【００２６】
システム管理ツール２１は、キーボード入力装置５から入力された利用者名およびパスワードを利用者プロファイル４０に登録するパスワード登録手段２１１と、音声入力装置７から入力された利用者の音声を音声認識して声紋を利用者プロファイル４０に登録する声紋登録手段２１２とを含んで構成されている。
【００２７】
システム生成プログラム２２には、システム生成時にパスワードのキーボード入力を要求し、入力されたパスワードを利用者プロファイル４０に登録されたパスワードと比較して、一致するパスワードがあれば個人認証されたものとして該パスワードに対応するシステム生成情報に基づいてシステム生成を続行するパスワード認証手段２２１と、パスワードのキーボード入力要求から所定時間の間にパスワードのキーボード入力がなかった場合に利用者に対して音声にて発声を要求し、この発声を音声認識した声紋を利用者プロファイル４０に登録された声紋と比較して、一致する声紋があれば個人認証されたものとして該声紋に対応するシステム生成情報に基づいてシステム生成を続行する声紋認証手段２２２とを含んで構成されている。
【００２８】
図３を参照すると、利用者プロファイル４０には、利用者名，パスワード，声紋およびシステム生成情報が含まれている。システム生成情報には、利用者固有の環境を生成するためのモジュール名等が含まれている。
【００２９】
図４を参照すると、第１の実施の形態に係る個人認証方式の認証情報登録処理は、利用者名／パスワード登録画面表示ステップＳ１０１と、利用者名／パスワードキーボード入力ステップＳ１０２と、利用者名／パスワード登録ステップＳ１０３と、利用者名問い合わせステップＳ１０４と、利用者名音声入力ステップＳ１０５と、入力音声の音声認識ステップＳ１０６と、声紋登録ステップＳ１０７とからなる。
【００３０】
図５を参照すると、第１の実施の形態に係る個人認証方式の個人認証処理は、利用者名／パスワード入力画面表示ステップＳ２０１と、入力有無判定ステップＳ２０２と、利用者名／パスワード比較ステップＳ２０３と、一致判定ステップＳ２０４と、利用者プロファイルでのシステム生成ステップＳ２０５と、所定時間経過判定ステップＳ２０６と、利用者名問合せステップＳ２０７と、音声応答検出ステップＳ２０８と、所定時間経過判定ステップ２０９と、音声認識ステップ２１０と、一致判定ステップＳ２１１と、利用者認証失敗ステップＳ２１２とから構成されている。
【００３１】
次に、このように構成された第１の実施の形態に係る個人認証方式の動作について、図１ないし図５を参照して詳細に説明する。
【００３２】
（１−１）個人認証情報の登録処理
個人認証情報を登録する場合には、利用者は、パソコンの動作中に、処理プログラム２０中のシステム管理ツール２１を起動する。
【００３３】
システム管理ツール２１では、まず、パスワード登録手段２１１が、利用者名／パスワード登録画面を表示装置４に表示して（ステップＳ１０１）、利用者に利用者名／パスワードのキーボード入力を促す。
【００３４】
利用者がキーボード入力装置５から利用者名／パスワードを入力すると（ステップＳ１０２）、パスワード登録手段２１１は、利用者名／パスワードを利用者プロファイル４０に登録する（ステップＳ１０３）。
【００３５】
次に、声紋登録手段２１２は、音声出力装置６から利用者名を音声で尋ねる（ステップＳ１０４）。
【００３６】
利用者が音声入力装置７に向かって利用者自身の名前（利用者名）を発声すると（ステップＳ１０５）、声紋登録手段２１２は、入力音声を音声認識し（ステップＳ１０６）、声紋を利用者プロファイル４０に登録する（ステップＳ１０７）。
【００３７】
この後、パソコンの終了時に、オペレーティングシステム１０は、終了時点での利用者の環境をシステム生成情報として利用者プロファイル４０に保存する。
【００３８】
（１−２）個人認証処理
パソコンに電源が投入されると、まず、処理プログラム２０中のシステム生成プログラム２１が起動される。
【００３９】
システム生成プログラム２１では、パスワード認証手段２２１が、利用者名／パスワード入力画面を表示装置４に表示する（ステップＳ２０１）。
【００４０】
利用者が利用者名／パスワード入力画面に対して所定時間内に利用者名およびパスワードを入力すると（ステップＳ２０２でイエス）、パスワード認証手段２２１は、入力された利用者名／パスワードを利用者プロファイル４０に登録されている利用者名／パスワードと比較し（ステップ２０３）、一致する利用者名／パスワードが登録されているかどうかを判定する（ステップＳ２０４）。一致する利用者名／パスワードが登録されていれば、パスワード認証手段２２１は、利用者プロファイル４０の該当するシステム生成情報を使用して汎用ＯＳライブラリ５０から必要なモジュールを入力して利用者固有のシステム生成を行い、当該利用者固有の環境でのオペレーティングシステム１０を立ち上げる。一致する利用者名／パスワードが登録されていなければ、パスワード認証手段２２１は、利用者認証の失敗であるとして（ステップＳ２１２）、オペレーティングシステム１０の立ち上げを行わない。なお、利用者認証の失敗の場合には、ステップＳ２０１に制御を戻して、利用者名／パスワードの再入力を促すようにしてもよい。
【００４１】
一方、利用者が利用者名／パスワード入力画面に対して所定時間内に利用者名およびパスワードを入力しないと（ステップＳ２０６でイエス）、パスワード認証手段２２１は、音声出力装置６から音声を発して利用者名を尋ねる（ステップＳ２０７）。利用者が利用者名を所定時間内に音声入力装置７に対して発声すると（ステップＳ２０８でイエス）、声紋認証手段２２２は、音声認識を行い（ステップＳ２１０）、認識結果の声紋が利用者プロファイル４０に登録されている声紋と一致するかどうかを判定する（ステップＳ２１１）。一致する声紋が登録されていれば、声紋認証手段２２２は、利用者プロファイル４０の該当するシステム生成情報を使用して汎用ＯＳライブラリ５０から必要なモジュールを入力してシステム生成を行い、当該利用者固有の環境でオペレーティングシステム１０を立ち上げる。
【００４２】
利用者が利用者名を所定時間内に音声入力装置７に対して発声しない場合（ステップＳ２０９でイエス），および一致する声紋が登録されていない場合（ステップＳ２１１でノー）、声紋認証手段２２２は、利用者認証の失敗であるとして（ステップＳ２１２）、オペレーティングシステム１０の立ち上げを行わない。なお、利用者認証の失敗の場合には、ステップＳ２０１に制御を戻して、利用者名／パスワードの再入力を促すようにしてもよい。
【００４３】
第１の実施の形態によれば、セキュリティ機能や操作性はそのままで、パソコンを使い慣れていない、または操作が不自由な利用者が抵抗なく個人認証を利用することが可能となるため、パソコンの広い使用が可能となる。その理由は、個人認証に使用する手段をパスワード認証手段と声紋認証手段とから利用者が選択できるためである。
【００４４】
ところで、第１の実施の形態では、利用者名の発声を音声認識して声紋の登録および比較を行うようにしたが、利用者に発声させる言葉は利用者名に限られるわけではない。たとえば、パスワードの発声を音声認識して声紋の登録および比較を行うようにしてもよいことはもちろんである。
【００４５】
（２）第２の実施の形態
図６は、本発明の第２の実施の形態に係る個人認証方式における個人認証処理を示すフローチャートである。このフローチャートは、図５に示した第１の実施の形態に係る個人認証方式における個人認証処理に対して、パソコンの管理者（たとえば、親など）があらかじめ定めた特定の利用者プロファイル４０である固定プロファイルでのシステム生成を行うステップＳ２１３を追加した点だけが異なっている。固定プロファイルは、特定処理の実行（システムファイルなどの特定ファイルへのアクセスやネットワークへの接続など）を制限する利用者プロファイル４０となっている。特定処理として、どのような処理を指定するかはパソコンの管理者が決定する。このように、音声を用いて個人認証を行った利用者に対して利用制限を設けるようにしたのは、音声認識による個人認証は録音された音声などにより簡単に偽造することが可能であるからである。
【００４６】
なお、その他の構成は、図１ないし図５に示した第１の実施の形態に係る個人認証方式と全く同様に構成されているので、同一部分には同一符号を付して、それらの詳しい説明を省略する。
【００４７】
このように構成された第２の実施の形態に係る個人認証方式における個人認証処理では、一致する声紋が登録されていた場合（ステップＳ２１１でイエス）、声紋認証手段２２２は、利用者プロファイル４０でのシステム生成ではなく、固定プロファイルでのシステム生成を行う（ステップＳ２１３）。これにより、音声を用いて個人認証を行った利用者に対しては、共通資源の利用要求にあたり、自動的に利用制限を付与することができる。
【００４８】
第２の実施の形態に係る個人認証方式によれば、音声認識による個人認証はパソコンを使い慣れていない、または操作が不自由な利用者に対する過渡的なものであると明確に位置付けることにより、音声を用いて個人認証を行った利用者に対して利用制限を設け、システム全体として、より高いセキュリティ機能を持つことができる。
【００４９】
【発明の効果】
第１の効果は、セキュリティ機能や操作性はそのままで、パソコンを使い慣れていない、または操作が不自由な利用者が抵抗なく個人認証を受けることが可能となるため、パソコンの広い使用が可能となることである。その理由は、個人認証に使用する手段をパスワード認証手段と声紋認証手段とから利用者が選択できるためである。
【００５０】
第２の効果は、音声を用いて個人認証を行った利用者に対して利用制限を設け、システム全体として、より高いセキュリティ機能を持つことができることである。その理由は、音声を用いて個人認証を行った利用者に対して、パソコンの管理者があらかじめ定めた特定の利用者プロファイルである固定プロファイルでのシステム生成を行うようにしたからである。
【図面の簡単な説明】
【図１】本発明の第１の実施の形態に係る個人認証方式が適用されたオペレーティングシステムの構成を示すブロック図である。
【図２】本発明の個人認証方式が適用されるパソコンのシステム構成例を示す図である。
【図３】図１中の利用者プロファイルの内容を例示する図である。
【図４】第１の実施の形態に係る個人認証方式における個人認証情報登録処理を示すフローチャートである。
【図５】第１の実施の形態に係る個人認証方式における個人認証処理を示すフローチャートである。
【図６】本発明の第２の実施の形態に係る個人認証方式における個人認証処理を示すフローチャートである。
【符号の説明】
１  ＭＰＵ
２  主記憶
３  外部記憶装置
４  表示装置
５  キーボード入力装置
６  音声出力装置
７  音声入力装置
１０  オペレーティングシステム
２０  処理プログラム
２１  システム管理ツール
２２  システム生成プログラム
３０  制御プログラム
３１  ジョブ管理機能
３２  タスク管理機能
３３  データ管理機能
４０  利用者プロファイル
５０  汎用ＯＳライブラリ
２１１  パスワード登録手段
２１２  声紋登録手段
２２１  パスワード認証手段
２２２  声紋認証手段
Ｓ１０１  利用者名／パスワード登録画面表示ステップ
Ｓ１０２  利用者名／パスワードキーボード入力ステップ
Ｓ１０３  利用者名／パスワード登録ステップ
Ｓ１０４  利用者名問い合わせステップ
Ｓ１０５  利用者名音声入力ステップ
Ｓ１０６  入力音声の音声認識ステップ
Ｓ１０７  声紋登録ステップ
Ｓ２０１  利用者名／パスワード入力画面表示ステップ
Ｓ２０２  入力有無判定ステップ
Ｓ２０３  利用者名／パスワード比較ステップ
Ｓ２０４  一致判定ステップ
Ｓ２０５  利用者プロファイルでのシステム生成ステップ
Ｓ２０６  所定時間経過判定ステップ
Ｓ２０７  利用者名問合せステップ
Ｓ２０８  音声応答検出ステップ
Ｓ２０９  所定時間経過判定ステップ
Ｓ２１０  音声認識ステップ
Ｓ２１１  一致判定ステップ
Ｓ２１２  利用者認証失敗ステップ
Ｓ２１３  固定プロファイルでのシステム生成ステップ
【図１】
0003687553.tif 000002
【図２】
0003687553.tif 000003
【図３】
0003687553.tif 000004
【図４】
0003687553.tif 000005
【図５】
0003687553.tif 000006
【図６】
0003687553.tif 000007